(57)【要約】【課題】可搬型記憶媒体が読み取り装置から離れると、認証印刷を終了し、以後未印刷処理の印刷を再度読み取り装置に近づけ再開することができ、セキュリティを確保する認証印刷を可能とすると共に、後続の印刷ジョブの実行待ち時間を短縮する印刷装置を提供するものである。【解決手段】印刷装置であって、可搬型記憶媒体からのユーザの認証情報を取得する認証情報取得部と、印刷データに記録されたユーザの認証情報と文書情報とページ画像情報を読み取り、ユーザ毎に文書情報及びページ画像情報を記憶する記憶部と、文書情報とページ画像情報に基づいて印刷データの印刷処理を行っている間、認証情報取得部からのユーザの認証情報が取得できない時、印刷処理を終了させる制御部と、を有することを特徴とする。【選択図】  図１
2013173285.tif 000002
【特許請求の範囲】
【請求項１】
可搬型記憶媒体からのユーザの認証情報を取得する認証情報取得部と、
印刷データに記録されたユーザの認証情報と文書情報とページ画像情報を読み取り、ユーザ毎に前記文書情報及びページ画像情報を記憶する記憶部と、
前記文書情報とページ画像情報に基づいて前記印刷データの印刷処理を行っている間、前記認証情報取得部からのユーザの認証情報が取得できない時、前記印刷処理を終了させる制御部と、
を有することを特徴とする印刷装置。
【請求項２】
前記認証情報取得部が前記ユーザの認証情報を取得する時、現に印刷処理を行っていた印刷データの印刷処理を中止し、前記ユーザの前記文書情報及びページ画像情報に基づく印刷処理を優先して行い、前記認証情報取得部からのユーザの認証情報が取得できなくなると、前記ユーザの印刷処理を停止し、前記中断した印刷データの印刷処理を再開することを特徴とする請求項１に記載の印刷装置。
【請求項３】
前記ユーザの文書情報及びページ画像情報に基づく印刷処理を高速で行うことを特徴とする請求項１、又は２に記載の印刷装置。
【請求項４】
前記ユーザの文書情報及びページ画像情報に基づく印刷処理を終了した後、前記終了したページ画像情報の次のページ数を記憶し、前記認証印刷を再開する際、前記終了したページ画像情報の次のページ数の情報を読み出し、印刷処理を再開することを特徴とする請求項１、２、又は３に記載の印刷装置。
【請求項５】
前記ページ画像情報毎に印刷又は非印刷の設定が可能であり、前記ページ画像情報毎に印刷部数の設定が可能であることを特徴とする請求項１、２、３、又は４に記載の印刷装置。
【請求項６】
可搬型記憶媒体からのユーザの認証情報を取得する認証情報取得処理と、
印刷データに記録されたユーザの認証情報と文書情報とページ画像情報を読み取り、ユーザ毎に前記文書情報及びページ画像情報を記憶部に記憶する処理と、
前記文書情報とページ画像情報に基づいて前記印刷データの印刷処理を行っている間、ユーザの認証情報が取得できない時、前記印刷処理を終了させる処理と、
を行うことを特徴とする印刷方法。
【請求項７】
前記認証情報取得処理によって前記ユーザの認証情報を取得する時、現に印刷処理を行っていた印刷データの印刷処理を中止し、前記ユーザの前記文書情報及びページ画像情報に基づく印刷処理を優先して行い、前記ユーザの認証情報が取得できなくなると、前記ユーザの印刷処理を停止し、前記中断した印刷データの印刷処理を再開することを特徴とする請求項６に記載の印刷方法。
【請求項８】
前記ユーザの文書情報及びページ画像情報に基づく印刷処理を高速で行うことを特徴とする請求項６、又は７に記載の印刷方法。
【発明の詳細な説明】
【技術分野】
【０００１】
本発明は認証印刷が可能な印刷装置に関する。
【背景技術】
【０００２】
今日、コンピュータネットワークが広く使用され、例えばＬＡＮ（ローカルエリアネットワーク）等のネットワークに印刷装置が接続され、パーソナルコンピュータ等のホスト機器から印刷データを転送して印刷処理を行う印刷システムが使用されている。このようなシステムにおいては、ホスト機器と印刷装置が離れた場所に設置される場合が多く、秘匿性にある文書を印刷する場合、印刷物を他人に読まれる心配がある。
【０００３】
そこで、予め印刷装置に転送された認証識別情報が付加された印刷データに対して、パネル操作又はＩＣカード等の可搬型記憶媒体から認証識別情報を送信し、一致判断を行い、印刷データの認証印刷を行っている。
【０００４】
尚、特許文献１は、認証印刷モードの際、カードをカードリーダに翳している間だけ、設定条件の変更等の操作入力を受け付け、カードが取り除かれると変更操作が禁止される発明を開示する。
【０００５】
また、特許文献２はカードを取り外しても登録された認証状態は所定時間有効であり、例えば取り忘れなどでカードがカードリーダに翳されたままである場合でも、上記所定時間を過ぎると、印刷処理を禁止にする発明を開示する。
【先行技術文献】
【特許文献】
【０００６】
【特許文献１】特開２００８−４９６２７号公報
【特許文献２】特開２００６−７６０３４号公報
【発明の概要】
【発明が解決しようとする課題】
【０００７】
しかしながら、上記特許文献１に記載された発明では、カードが取り除かれると設定条件の変更等の操作ができなくなるだけであり、例えば認証印刷は継続され、印刷者がその場を離れた場合、残り印刷物の内容が他人に漏れる問題がある。
【０００８】
また、特許文献２に記載された発明では、カードを取り外して所定時間は認証状態が有効であり、上記所定時間内に印刷者がその場を離れた場合、上記と同様印刷物の内容が他人に漏れる問題がある。
また、従来の認証印刷では、認証印刷によって印刷実行を待たされる印刷ジョブに対する配慮は行われておらず、このような印刷ジョブの利用者は長時間印刷実行を待たされる。
【０００９】
そこで、本発明は可搬型記憶媒体が読み取り装置から離れると、認証印刷を終了し、以後未印刷処理の印刷を再度読み取り装置に近づけ再開することができ、セキュリティを確保する認証印刷を可能とすると共に、後続の印刷ジョブの実行待ち時間を短縮する印刷装置を提供するものである。
【課題を解決するための手段】
【００１０】
上記課題は本発明によれば、可搬型記憶媒体からのユーザの認証情報を取得する認証情報取得部と、印刷データに記録されたユーザの認証情報と文書情報とページ画像情報を読み取り、ユーザ毎に前記文書情報及びページ画像情報を記憶する記憶部と、前記文書情報とページ画像情報に基づいて前記印刷データの印刷処理を行っている間、前記認証情報取得部からのユーザの認証情報が取得できない時、前記印刷処理を終了させる制御部と、を有する印刷装置を提供することによって達成できる。
【発明の効果】
【００１１】
本発明によれば、ＩＣカード等の可搬型記憶媒体がデータ読み取り装置から離れると、認証印刷を直ちに終了するので、認証印刷の実行者がその場から離れた場合でも以後の印刷物の内容を他人に知られることがなくセキュリティを確保することができる。また、本発明によれば、認証印刷時、印刷速度を高速化し、後続の印刷ジョブの実行待ち時間を短縮することができる。
【図面の簡単な説明】
【００１２】
【図１】記憶装置部に構築される認証印刷の印刷データの情報を記憶するテーブル構成を説明する図である。
【図２】本実施形態の印刷装置の回路ブロック図である。
【図３】本実施形態の印刷装置のプリンタ部の機構構成を説明する図である。
【図４】印刷データのデータフォーマットを示す図である。
【図５】本実施形態の印刷装置による受信処理と描画処理を説明する図である。
【図６】印刷データのヘッダ部に記述された情報を使用し、認証印刷の印刷データの情報を記憶する処理を説明するフローチャートである。
【図７】認証印刷の印刷処理を説明するフローチャートである。
【図８】認証印刷リストの作成例を示す図である。
【図９】（ａ）は認証印刷リストの表示例を示す図であり、（ｂ）は文書情報の表示例を示す図であり、（ｃ）は印刷条件の設定画面を示す図である。
【図１０】ユーザが「削除」の動作指示キーを選択した場合の処理を説明するフローチャートである。
【図１１】ユーザが「ターボ印刷」の動作指示キーを選択した場合の処理を説明するフローチャートである。
【図１２】認証印刷が完了した際の処理を説明するフローチャートである。
【発明を実施するための形態】
【００１３】
以下、本発明の実施形態について、図面を参照しながら説明する。
図２は本発明の実施形態を説明する印刷装置のシステム構成図である。尚、本例で使用する印刷装置は、印刷機能に加えて、スキャナ機能やファクシミリ機能、複写機能等を持つ複合機（以下、ＭＦＰ（多機能印刷装置・マルチファンクションプリンタ）で示す）であり、以後このＭＦＰを使用して説明する。
【００１４】
ＭＦＰ１は、スキャナ部２、ＭＦＰ制御部３、プリンタ部４で構成されている。スキャナ部２は読取機構部２ａを有し、読取機構部２ａの駆動により原稿台に載置された原稿画像が読み取られ、ＭＦＰ制御部３に原稿データが送信される。
【００１５】
ＭＦＰ制御部３は、メイン制御部５、読取機構制御部６、表示操作制御部７、ＦＡＸ通信制御部８、ＬＡＮ通信制御部９、インターネット通信制御部１０、ＩＣカード装置制御部１１、記憶装置制御部１２、及び記憶装置部（ＨＤＤ）１３で構成されている。また、メイン制御部５はＣＰＵ５ａ、ＲＯＭ５ｂ、ＲＡＭ５ｃを備える。
【００１６】
読取機構制御部６は前述のスキャナ部２に設けられた読取機構部２ａの機構制御を行い、スキャナ部２で読み取った原稿データをＭＦＰ制御部３に送る。
表示操作制御部７は、表示操作部１５に設けられた後述するキー操作に基づく操作信号をメイン制御部５に出力する。また、表示操作制御部７は、メイン制御部５から出力される表示データを表示操作部１５に出力し、後述する印刷リスト等の表示を行う。
【００１７】
さらに、記憶装置制御部１２は、記憶装置部（ＨＤＤ）１３へのデータ書き込み、及び記憶装置部（ＨＤＤ）１３に記憶されたデータの読み出し制御を行う。この記憶装置部（ＨＤＤ）１３には後述する認証印刷の印刷データの情報がテーブル形式で記憶される。
【００１８】
また、ＬＡＮ通信制御部９は、本例で使用するＭＦＰ１をＬＡＮに接続するためのインターフェイスであり、クライアントＰＣ等との通信に使用され、例えばこのクライアントＰＣから印刷データが供給される。
【００１９】
また、ＦＡＸ通信制御部８は、ファクシミリデータの送受信制御を行う。また、インターネット通信制御部１０は、例えばＴＣＰ/ＩＰ（transmission control protocol/internet protocol）によってパケット通信を行う。
【００２０】
さらに、ＩＣカード装置制御部１１はＩＣカードリーダ１６との間のインターフェイスであり、例えば後述する認証印刷におけるＩＣカードの認証に使用される。
一方、プリンタ部４はＰＰＲ制御部１７、印刷機構部１８、及び給紙装置１９で構成され、給紙装置１９から搬出された用紙（記録媒体）にＰＰＲ制御部１７の制御に基づいて印刷処理が行われ、印刷結果２０は後述する排紙トレーに出力される。
【００２１】
図１は上記記憶装置部（ＨＤＤ）１３に記憶される認証印刷の印刷データの情報（以下、認証印刷情報で示す）を記憶するテーブル構成を説明する図である。この認証印刷情報を記憶するテーブルは、図１（ａ）に示すように、先ず登録ユーザ数と各ユーザの情報を記憶するエリアで構成され、登録ユーザ数を記憶するエリアには、本例のＭＦＰ１に認証印刷情報の登録を行ったユーザ数が記憶される。
【００２２】
また、上記ユーザ情報の具体的な情報は、同図（ｂ）に示すように、認証識別情報、登録文書数、及び各文書の文書情報で構成されている。ここで、認証識別情報は、本例ではＩＣカードに記憶されたユーザの識別コードが用いられる。また、登録文書数は当該ユーザによって登録された文書数であり、各文書情報は同図（ｃ）に示すように、文書名、総ページ数、及びページ画像情報で構成されている。
【００２３】
さらに、上記ページ画像情報は、同図（ｄ）に示すように、画像ファイル名、印刷許可情報、保存情報、印刷済み情報、印刷速度情報で構成されている。ここで、画像ファイル名とは画像データとして記憶装置部（ＨＤＤ）１３に登録されたファイル名を示し、印刷許可情報とは当該ページの印刷許可情報を示し、印刷「する」又は印刷「しない」の設定が行われ、例えば印刷「しない」の設定が行われている場合には当該ページの印刷処理は行われない。
【００２４】
また、保存情報は認証印刷の終了後に記憶装置部（ＨＤＤ）１３に当該画像データを保存するか否かの情報を記憶し、例えば初期値は「しない」に設定されている。また、印刷済み情報は当該ページの認証印刷が終了したことを示し、従って印刷済みでないページに対し、再度ＩＣカードを翳して印刷実行を行うことが可能である。尚、この印刷済み情報の初期値は「未印刷」に設定されている。さらに、印刷速度情報は認証印刷を実行する際の印刷速度を登録する。
【００２５】
図３は前述のプリンタ部４の機構構成を説明する図である。上記のように、プリンタ部４はＰＰＲ制御部１７、及び印刷機構部１８、及び給紙装置１９で構成され、特に図３は印刷機構部１８と給紙装置１９の構成を説明する図である。
印刷機構部１８は画像形成部２２、転写ベルトユニット２３、トナー供給部２４、及びベルト式定着ユニット２５で構成されている。
【００２６】
上記画像形成部２２は、転写ベルトユニット２３の転写ベルト２８の下部走行部表面２８ａに接して同図の右から左へ４個の画像形成ユニット２９（２９ｙ、２９ｍ、２９ｃ、２９ｋ）を多段式に並設した構成からなる。
【００２７】
上記４個の画像形成ユニット２９のうち下流側（図の右側）の３個の画像形成ユニット２９ｙ、２９ｍ、及び２９ｃは、それぞれ減法混色の三原色であるイエロー（Ｙ）、マゼンタ（Ｍ）、シアン（Ｃ）の色トナーによるモノカラー画像を形成し、画像形成ユニット２９ｋは、主として文字や画像の暗黒部分等に用いられるブラック（Ｋ）トナーによるモノクロ画像を形成する。
【００２８】
上記の各画像形成ユニット２９は、画像を現像するトナーの色を除き全て同じ構成である。したがって、以下ブラック（Ｋ）のトナー用の画像形成ユニット２９ｋを例にしてその構成を説明する。
【００２９】
画像形成ユニット２９は、最上部に感光体ドラム３０を備えている。この感光体ドラム３０は、その周面が例えば有機光導電性材料で構成されている。この感光体ドラム３０の周面近傍を取り巻いて、クリーナ３１、帯電ローラ３２、光書込ヘッド３３、及び現像器３４の現像ローラ３５が配置されている。
【００３０】
現像器３４は、現像ローラ３５の下方に位置する２つの現像槽内に、第１の攪拌搬送部材３６、及び第２の攪拌搬送部材３７を備えている。
【００３１】
転写ベルトユニット２３は、本体装置のほぼ中央で図の左右方向に扁平なループ状になって延在する無端状の上述した転写ベルト２８と、この転写ベルト２８を掛け渡されて転写ベルト２８を図の矢印ａ及びｂで示す反時計回り方向に循環移動させる駆動ローラ３８と従動ローラ３９を備えている。
【００３２】
上記の転写ベルト２８は、下方を循環移動するベルト表面に、ユニットと一体に組み込まれて転写ベルト２８を介して感光体ドラム３０に圧接する一次転写ローラ４１によりトナー像を直接転写（一次転写）されて、そのトナー像を更に用紙に転写（二次転写）すべく用紙への二次転写部４３まで搬送する。尚、本例の転写ベルトユニット２３は通常印刷における印刷速度と後述するターボ印刷の指示に基づく高速印刷に対応した印刷速度の制御が可能である。
【００３３】
また、上記通常印刷における印刷速度とターボ印刷の指示に基づく高速印刷の印刷速度の切り換えは、前述のメイン制御部５（ＣＰＵ５ａ）からＰＰＲ制御部１７に出力される印刷速度切換信号に基づいて行われる。
【００３４】
尚、上記通常印刷の場合、例えば１分間で３５枚の印刷出力を行い、駆動モータの回転は低速に設定され、後述するベルト式熱定着ユニットの温度も低く設定され、トナーの消費の割合も低く、消費電力も少ない設定である。一方、高速印刷の場合、例えば１分間で５０枚の印刷出力を行い、駆動モータの回転も高速に設定され、ベルト式熱定着ユニットの温度も高く設定され、トナーの消費も多く、消費電力も大きい。したがって、本例の認証印刷で後述するターボ印刷の指示がある以外は、通常速度での印刷処理が行われる。
【００３５】
上記転写ベルトユニット２３には、駆動ローラ３８に掛け渡されている表面に、ベルトクリーナ４４のクリーニングブレード４５が当接して配置されている。ベルトクリーナ４４の下方には廃トナー回収容器４６が着脱自在に配置されている。
【００３６】
ベルトクリーナ４４は、クリーニングブレード４５が転写ベルト２８の表面に当接して廃トナーを擦り取って除去し、その廃トナーを搬送部材により下方の廃トナー回収容器４６に送り込んでいる。
【００３７】
トナー供給部２４は、転写ベルト２８の上部走行部の上方に配置されている４個のトナーホッパー４７（４７ｙ、４７ｍ、４７ｃ、４７ｋ）で構成される。４個のトナーホッパー４７ｙ、４７ｍ、４７ｃ、４７ｋは、それぞれイエロー（Ｙ）、マゼンタ（Ｍ）、シアン（Ｃ）、ブラック（Ｋ）のトナーを収容している。
【００３８】
トナー供給部２４は、同図にＹ、Ｍ、Ｃ、Ｋ（以下、関連する記載を「ＹＭＣＫ」として表わす）で示すようにイエロー（Ｙ）、マゼンタ（Ｍ）、シアン（Ｃ）、ブラック（Ｋ）のいずれかのトナーを、不図示のトナー供給路を介して画像形成ユニット２９の現像器３４に供給する。
【００３９】
給紙装置１９は、１個の給紙カセット４９を備えている。給紙カセット４９の給紙口（図の右方）近傍には、用紙取出ローラ５１、給送ローラ５２、捌きローラ５３、待機搬送ローラ対５４が配置されている。尚、本例の給紙装置１９も通常印刷における印刷速度と後述する高速印刷における印刷速度に対応した用紙の給紙制御が可能である。
【００４０】
待機搬送ローラ対５４の用紙搬送方向（図の鉛直上方向）には、転写ベルト２８を介して従動ローラ３９に圧接する二次転写ローラ５５が配設されて、前述した用紙への二次転写部４３を形成している。
【００４１】
この二次転写部４３と最下流の画像形成ユニット２９ｙとの略中間位置で、転写ベルト２８の下部走行部表面２８ａに近接して、拡散反射型濃度センサ５６が配設されている。また、二次転写部の下流（図では上方）側にはベルト式熱定着ユニット２５が配置されている。
【００４２】
ベルト式熱定着ユニット２５の更に下流側には、定着後の用紙をベルト式熱定着ユニット２５から搬出する不図示の搬出ローラ対及びその搬出される用紙を装置上面に形成されている排紙トレー５７に排紙する不図示の排紙ローラ対が配設されている。排紙トレー５７より右方に位置する本体上面端部はやや傾斜して前述の操作表示部１５が配置されている。
本発明のＭＦＰ４は、印刷処理速度を多少犠牲にしても稼働時の消費電力を少なくすることを可能とする通常印刷モードと、稼働時の消費電力は多少大きくなるが印刷処理速度を優先させて動作させる高速印刷モードの２つの動作モードが用意されている。大量の印刷処理、或いは急ぎの印刷処理を利用者が所望する場合には、上記高速印刷モードを指定し、特に急ぎでもない大量でもない通常の印刷処理を行う場合には、節電を意識して、利用者は、上記通常印刷モードを指定して、印刷処理を行うことができる。
高速印刷モードが指定された場合、エンジン部を制御する不図示のコントローラは、印刷装置全体の印刷処理速度を高速に動作させるべく、機構部を駆動するモータのスピードを高速に制御し、現像器３４を含む画像形成ユニット２９や用紙搬送機構などを高速に動作させ、この高速処理に対応する定着温度で用紙の定着が行われるように定着ユニット２５を高温に制御し、印刷する画像データの生成処理も高速の動作クロックに切り換えて処理するなどの制御を行い、高速印刷モードに対応した制御動作が行われる。
一方、通常印刷モードが指定された場合には、上記エンジン部を制御するコントローラは、印刷装置全体の印刷処理速度を低速に動作させるべく、上記機構部の駆動源であるモータのスピードを低速に制御し、画像形成ユニットや用紙搬送機構などを低速に動作させ、この低速処理に対応する定着温度で用紙の定着が行われるように定着ユニット２５を低温に制御し、印刷する画像データの生成処理も低速の動作クロックに切り換えて処理するなどの制御を行い、通常印刷モードに対応した制御動作が行われる。
従って、通常印刷モードで動作する場合には、印刷装置の消費電力は少なくて済み、また、消耗部品などの消耗度合いも少なくて済む。
【００４３】
以上の構成において、以下に本例の処理動作を説明する。
クライアントＰＣで作成された印刷データは前述のＬＡＮ通信制御部９を介して本例のＭＦＰ１に入力する。この印刷データは、例えば図４に示すフォーマット構成であり、ヘッダ部６０に前述の認証印刷情報を記述し、データ部６１にＰＤＬコマンド列を記述する構成である。
【００４４】
図５はＭＦＰ１による受信処理と描画処理を説明する図であり、ＭＦＰ１に入力した印刷データは受信バッファ６２に一旦格納され、順次コマンド解析され、画像描画処理６３が行われる。この処理によって生成された画像データは、例えばＲＡＭ５ｃに記憶され、各ページの描画処理が完了すると、印刷待ち行列６４に順次登録され、その後前述のプリンタ部４に出力され、給紙装置１９から搬出された用紙にＰＰＲ制御部１７の制御に基づいて印刷処理が行われ、印刷結果２０は前述の排紙トレー５７に出力される。
【００４５】
次に、上記印刷データのヘッダ部６０に記述された認証印刷情報を使用して前述のテーブルに必要なデータを登録する処理を説明する。
図６はこの処理を説明するフローチャートである。先ず、クライアントＰＣから送信された印刷データに認証識別情報が含まれているか判断する（ステップ（以下、Ｓで示す）１）。この判断は印刷データのヘッダ部６０のコマンド解析を行い、前述のＩＣカードに記憶されたユーザの識別コードである認証識別情報が含まれているか判断する。ここで、印刷データのヘッダ部６０に認証識別情報が含まれていなければ（Ｓ１がＮＯ）、通常の印刷処理を行う（Ｓ２）。
【００４６】
一方、印刷データのヘッダ部６０に認証識別情報が含まれていれば（Ｓ１がＹＥＳ）、記憶装置部（ＨＤＤ）１３のテーブルを検索し（Ｓ３）、新規ユーザの認証識別情報であるか判断する。ここで、新規ユーザの認証識別情報でなければ（Ｓ４がＮＯ）、ユーザ情報の登録文書数を＋１する（Ｓ５）。すなわち、図１（ａ）に示すユーザ情報を確認し、対応するユーザ情報が記憶された同図（ｂ）の登録文書数を＋１する。
さらに、図１（ｃ）に新たな文書の文書情報を登録する（Ｓ６）。すなわち、新たな文書の文書名を登録し、文書の総ページ数を登録し、文書のページ画像情報を登録する。
【００４７】
次に、画像作成処理を行う（Ｓ７）。この処理は印刷データのＰＤＬコマンドを実行し、画像データの作成処理を行い、例えば１ページの画像データの作成が完了すると、ファイル名を付けて登録する（Ｓ８）。
【００４８】
さらに、１ページの画像データの作成が完了すると、印刷許可情報、保存情報、印刷済み情報、及び印刷速度情報を登録する（Ｓ９）。上記処理は当該文書のページ分繰り返され、当該文書の総ページ分のページ画像情報が作成される。そして、当該文書情報の文書名、及び総ページ数を設定し（Ｓ１０）、記憶装置部（ＨＤＤ）１３のテーブルを更新する（Ｓ１１）。
【００４９】
一方、上記判断（Ｓ４）において、新規ユーザであれば（Ｓ４がＹＥＳ）、新たなユーザ情報を追加する必要があり、図１（ａ）の登録ユーザ数を＋１し（Ｓ１２）、新たなユーザの認証識別情報を作成する（Ｓ１３）。この場合、新たなユーザ用に図１（ｂ）に示す認証印刷情報の作成エリアを設け、新たなユーザの認証識別情報を登録する（Ｓ１４）。具体的には、同図（ｂ）の登録文書数を１とし、同図（ｃ）に新たな文書の文書情報を登録する（Ｓ１５）。
【００５０】
さらに、前述と同様、同図（ｄ）の当該文書の総ページ分のページ画像情報を作成し（Ｓ７〜Ｓ９）、当該文書情報の文書名、及び総ページ数を設定し（Ｓ１０）、記憶装置部（ＨＤＤ）１３のテーブルを更新する（Ｓ１１）。
【００５１】
次に、上記処理によって、複数のユーザの認証印刷情報が図１に示すテーブルに登録されている状態において、ＩＣカードが翳され、認証印刷を行う場合の処理について説明する。
【００５２】
図７はこの処理を説明するフローチャートである。先ず、ＩＣカードの情報を読み込む（ステップ（以下、ＳＴで示す）１）。この処理は前述のＩＣカードリーダ１６によって所定時間間隔でＩＣカードの情報を読み出す処理であり、ＩＣカードの情報が読み出されると、認証識別情報の比較を行う（ＳＴ２）。
【００５３】
すなわち、メイン制御部５（ＣＰＵ５ａ）はＩＣカードリーダ１６から読みだした認証識別情報を前述のテーブルに記憶された認証識別情報と比較し、一致する認証識別情報がない場合（ＳＴ３がＮＯ）、該当者無しの表示を行い（ＳＴ４）、処理を終了する。
【００５４】
一方、該当者がいる場合（ＳＴ３がＹＥＳ）、現在受信処理を行っている印刷データの受信処理を停止し、完成ページの排紙を行う（ＳＴ５）。また、コマンド解析処理、及び描画処理を中断する（ＳＴ６）。この処理は認証印刷の指示を行ったユーザの印刷実行を優先させるためであり、現に行っている受信処理や描画処理を中断させる処理である。
【００５５】
次に、認証印刷文書リストを作成する（ＳＴ７）。この認証印刷文書リストの作成は、認証印刷の指示を行ったユーザ情報を情報テーブルから抽出する処理であり、図１に示すテーブルから対応するユーザの認証印刷情報を読み出す。
【００５６】
図８は上記テーブルから当該ユーザの認証印刷情報を読み出し、認証印刷リストを作成する例を示す図である。同図に示すように、当該ユーザが登録を行った登録文書数と、各文書の文書情報が記憶される。また、各文書の文書情報には文書名と総ページ数の情報が含まれる。このようにして作成された認証印刷文書リストは前述の表示操作部１５に表示される（ＳＴ８）。
【００５７】
図９（ａ）は上記認証印刷リストの一例を示す。この場合、「北海道地区データ表」、「東北地区データ表」、「関東地区データ表」、・・が各文書情報であり、スクロールバー６５を操作することによって、他の文書情報の表示も可能である。
【００５８】
次に、上記表示状態で文書選択キーの操作を待ち、またＩＣカードのチェックを行う（ＳＴ９）。このＩＣカードのチェックは、例えば認証印刷を指定したユーザがＩＣカードを翳し続けているか確認するためであり、ＩＣカードを翳すことを止めた場合（Ｓ１０がＮＯ）、中断した前述のコマンド解析処理や描画処理を再開し（ＳＴ１１）、また受信処理を再開する（ＳＴ１２）。
【００５９】
したがって、認証印刷を指定したユーザがＩＣカードを翳し続け、文書選択キーの操作を行うと（ＳＴ１０がＹＥＳ）、選択された文書情報を読込み、文書情報を表示する（ＳＴ１３）。図９（ｂ）はこの文書情報の表示例を示す。本例では、文書情報として、例えば「関東地区データ表」が選択された場合の例である。
【００６０】
この表示には、「印刷」、「削除」、「条件印刷」、「戻る」の各動作指示キーも表示され、以後上記動作指示キーの入力を待ち、同時にＩＣカードのチェックを行う（ＳＴ１４）。このＩＣカードのチェックは、前述と同様であり、認証印刷を指定したユーザがＩＣカードを翳し続けているか確認するためであり、ＩＣカードを翳すことを止めた場合（Ｓ１５がＮＯ）、中断した上記コマンド解析処理や描画処理を再開し（ＳＴ１１）、受信処理を再開する（ＳＴ１２）。
【００６１】
尚、ユーザが「戻り」の動作指示キーを選択した場合（ＳＴ１６が戻り）、処理を上記認証印刷文書リストの作成処理に戻す（ＳＴ７）。また、ユーザが「削除」の動作指示キーを選択した場合（ＳＴ１６が削除）、図１０に示すフローチャートに従った処理を行う。この場合、記憶装置部（ＨＤＤ）１３に記憶された当該文書情報の全ての画像ファイルを削除する。例えば、図９（ｂ）に示す例の場合、「関東地区データ表」の文書情報の全ての画像ファイルを削除する（ＳＴ１７、ＳＴ１８）。さらに、ユーザ情報の文書数を−１し（ＳＴ１９）、ユーザ情報の登録数がゼロになる場合（ＳＴ２０）、当該ユーザ情報を削除し（ＳＴ２１）、登録ユーザ数を−１し（ＳＴ２２）、テーブルの更新を行う（Ｓ２３）。
【００６２】
一方、ユーザが「条件印刷」の動作指示キーを選択した場合（ＳＴ２４が条件印刷）、図１１に示すフローチャートに従った処理を行う。先ず、表示操作部１５に条件印刷の設定画面を表示する（ＳＴ２５）。図９（ｃ）はこの条件印刷の設定画面の表示例を示す。
【００６３】
この表示には、印刷処理を行う際の条件設定キーが配置され、例えば「印刷部数」、「保存」、「再開印刷」、「印刷形態」、「印刷」、「戻る」、「ターボ印刷」の各条件設定キーが表示され、以後上記条件設定キーの入力を待つ（Ｓ２６）。またこの間、ＩＣカードのチェックも行われる。このＩＣカードのチェックも、前述と同様であり、認証印刷を指定したユーザがＩＣカードを翳し続けているか確認するためであり、ＩＣカードを翳すことを止めた場合（Ｓ２７がＮＯ）、中断した上記コマンド解析処理や描画処理を再開し（ＳＴ２８）、受信処理を再開する（ＳＴ２９）。尚、ここで「戻る」のキーが操作された場合、処理を前述の図９（ｂ）に示す「関東地区データ表」の文書情報の選択画面に戻す（ＳＴ３０、ＳＴ１３）。
【００６４】
一方、ＩＣカードも翳され続け、「戻る」のキーも操作されない場合、各種入力設定値をページ画像情報に設定し、ターボ印刷であれば印刷エンジンを高速に設定する（ＳＴ３１）。すなわち、認証印刷を指示したユーザの印刷条件に沿ってＭＦＰ１の設定を行う。例えば、ユーザが上記図９（ｃ）に示す条件設定を行うとすれば、印刷部数は３部に設定され、画像データは保存するに設定され、再開印刷も「する」に設定される。また、印刷形態は項指定に設定され、例えば１０ページの文書であれば１〜５ページの印刷処理が指定される。また、ターボ印刷の指定が行われれば、前述のメイン制御部５（ＣＰＵ５ａ）からＰＰＲ制御部１７に印刷速度切換信号が出力され、以後プリンタ部４は高速印刷モードに設定される。
【００６５】
上記設定の後、ＩＣカード情報の読み込み処理が行われ（ＳＴ３２）、更にＩＣカードのチェックが行われ、ＩＣカードを翳すことを止めた場合（Ｓ３３がＮＯ）、認証印刷情報を現在の状態に更新し（Ｓ３４）、中断した上記コマンド解析処理や描画処理を再開し（ＳＴ３５）、受信処理を再開し、印刷速度を通常速度に戻す（ＳＴ３６）。
【００６６】
一方、ＩＣカードが翳し続けられていると、例えば表示操作部１５のキー操作に基づく印刷許可を判断し（ＳＴ３７）、印刷待ち行列へ画像ファイル名の画像データを登録し（ＳＴ３８）、複写数分印刷処理を繰り返す。上記設定では印刷部数は３部に設定されているので３回分上記処理が繰り返される。例えば印刷待ち行列へ１ページ目の画像ファイル名の画像データを登録し、３回の複写部数分の処理が繰り返される。
【００６７】
次に、ページ画像情報の印刷済み情報を設定し（ＳＴ３９）、このページ画像情報を保存するか否の判断を行う（ＳＴ４０）。上記図９（ｃ）に示す設定例では保存するに設定されているため、１ページ目のページ画像情報を保存し、上記処理を総ページ分繰り返す。尚、ページ画像情報を保存しない設定の場合には（ＳＴ４０がＮＯ）、１ページ目のページ画像情報を削除し、文書情報の中の該当画像情報を削除し、総ページ数を−１する（ＳＴ４１、Ｓ４２）。
【００６８】
その後、上記処理を繰り返し、例えば総ページ数１０ページの文書情報の中の指定された、２ページ以降５ページまで同様の処理を繰り返し（ＳＴ３２〜ＳＴ４２）、認証印刷の文書の印刷処理を行う。したがって、上記例では１〜５ページの認証印刷の文書を３部印刷処理する。また、上記認証印刷の文書はターボ印刷の設定に従って通常の印刷速度より高速に行われ、認証印刷の終了を待つ印刷ジョブの待ち時間を短縮することができる。
【００６９】
以上のようにして認証印刷が完了すると、図１２に示す処理を行い、記憶装置部（ＨＤＤ）１３のテーブルの状態を更新し、エンジン速度を通常速度に戻す（ＳＴ４３）。
【００７０】
このように処理することによって、認証印刷の終了を待つ割り込まれた印刷ジョブの待ち時間を短縮することができる。すなわち、印刷処理途中の非印刷ジョブがあった場合、実行中のジョブを中断して認証印刷の印刷ジョブが先に処理されることになり、処理を中断された利用者には迷惑であり、認証印刷を高速で行うことによって、認証印刷の終了を待つ割り込まれた印刷ジョブの待ち時間を短縮することができる。
【００７１】
また、本実施形態のＭＦＰ１では、常時ＩＣカードが翳されていることを判断しているので、確実に認証者のみに印刷出力することができ、誤って認証者以外の者に印刷出力されることがない。例えば、認証印刷の途中で、緊急にその場を離れなければならない場合、本件のＭＦＰ１であればＩＣカードを外すことによって直ちに印刷処理が終了し、それまでの印刷物を持ち去ることによって、認証者以外の者に印刷物を知られることがなく、セキュリティを確実に確保することができる。
【００７２】
尚、この場合、残った未処理の印刷情報は、消去されず残るので、前述の「再開印刷」の設定を行い、再度認証者が認証印刷を実行することによって、未処理の印刷処理を実行することができる。また、この場合、再開印刷が可能な期間を表示操作部１５に表示するようにしてもよい。例えば、前述のテーブルに再開印刷可能な日時を記録し、必要に応じて表示するようにしてもよい。
【００７３】
また、各種印刷条件の設定が可能であり、例えばページ指定を行うことにより、紙の節約が可能となる。
【００７４】
尚、前述の判断（ＳＴ２４）において通常印刷を選択した場合には、図１１に示すＩＣカード情報の読み込み処理（ＳＴ３２）以降の処理が実行される。すなわち、この場合も先ずＩＣカードのチェックが行われ、前述と同様ＩＣカードを翳すことを止めた場合（Ｓ３３がＮＯ）、認証印刷情報を現在の状態に更新し（Ｓ３４）、中断した上記コマンド解析処理や描画処理を再開し（ＳＴ３５）、受信処理を再開する（ＳＴ３６）。
【００７５】
また、例えば表示操作部１５のキー操作に基づく印刷許可を判断し（ＳＴ３７）、印刷待ち行列へ画像ファイル名の画像データを登録し（ＳＴ３８）、複写数分上記処理を繰り返し、ページ画像情報の印刷済み情報を設定し（ＳＴ３９）、このページ画像情報を保存するか否か判断する（ＳＴ４０）。そして、ページ画像情報を保存しない場合には１ページ目のページ画像情報を削除し、文書情報の中の該当画像情報を削除し、総ページ数を−１する（ＳＴ４１）。その後、上記処理を繰り返し、例えば総ページ数１０ページの文書情報の印刷処理を通常の印刷速度によって行う。
尚、本実施形態の説明において、ＩＣカードリーダ１６にＩＣカードを翳している状態において認証印刷処理を継続する場合について説明したが、ＩＣカードリーダ１６にＩＣカードを装着する場合についても同様であり、ＩＣカードリーダ１６からＩＣカードを取り出すまで認証印刷処理を継続し、ＩＣカードリーダ１６からＩＣカードを取り出すと認証印刷が終了する構成である。
【００７６】
本発明はいくつかの実施形態を説明したが、本発明は特許請求の範囲に記載された発明とその均等の範囲に含まれる。以下、本件特許出願の出願当初の特許請求の範囲に記載された発明を付記する。
【００７７】
付記１
可搬型記憶媒体からのユーザの認証情報を取得する認証情報取得部と、
印刷データに記録されたユーザの認証情報と文書情報とページ画像情報を読み取り、ユーザ毎に前記文書情報及びページ画像情報を記憶する記憶部と、
前記文書情報とページ画像情報に基づいて前記印刷データの印刷処理を行っている間、前記認証情報取得部からのユーザの認証情報が取得できない時、前記印刷処理を終了させる制御部と、
を有することを特徴とする印刷装置。
【００７８】
付記２
前記認証情報取得部が前記ユーザの認証情報を取得する時、現に印刷処理を行っていた印刷データの印刷処理を中止し、前記ユーザの前記文書情報及びページ画像情報に基づく印刷処理を優先して行い、前記認証情報取得部からのユーザの認証情報が取得できなくなると、前記ユーザの印刷処理を停止し、前記中断した印刷データの印刷処理を再開することを特徴とする付記１に記載の印刷装置。
【００７９】
付記３
前記ユーザの文書情報及びページ画像情報に基づく印刷処理を高速で行うことを特徴とする付記１、又は２に記載の印刷装置。
【００８０】
付記４
前記ユーザの文書情報及びページ画像情報に基づく印刷処理を終了した後、前記終了したページ画像情報の次のページ数を記憶し、前記認証印刷を再開する際、前記終了したページ画像情報の次のページ数の情報を読み出し、印刷処理を再開することを特徴とする付記１、２、又は３に記載の印刷装置。
【００８１】
付記５
前記ページ画像情報毎に印刷又は非印刷の設定が可能であり、前記ページ画像情報毎に印刷部数の設定が可能であることを特徴とする付記１、２、３、又は４に記載の印刷装置。
【００８２】
付記６
可搬型記憶媒体からのユーザの認証情報を取得する認証情報取得処理と、
印刷データに記録されたユーザの認証情報と文書情報とページ画像情報を読み取り、ユーザ毎に前記文書情報及びページ画像情報を記憶部に記憶する処理と、
前記文書情報とページ画像情報に基づいて前記印刷データの印刷処理を行っている間、ユーザの認証情報が取得できない時、前記印刷処理を終了させる処理と、
を行うことを特徴とする印刷方法。
【００８３】
付記７
前記認証情報取得処理によって前記ユーザの認証情報を取得する時、現に印刷処理を行っていた印刷データの印刷処理を中止し、前記ユーザの前記文書情報及びページ画像情報に基づく印刷処理を優先して行い、前記ユーザの認証情報が取得できなくなると、前記ユーザの印刷処理を停止し、前記中断した印刷データの印刷処理を再開することを特徴とする付記６に記載の印刷方法。
【００８４】
付記８
前記ユーザの文書情報及びページ画像情報に基づく印刷処理を高速で行うことを特徴とする付記６、又は７に記載の印刷方法。
【符号の説明】
【００８５】
１・・・ＭＦＰ
２・・・スキャナ部
２ａ・・読取機構部
３・・・ＭＦＰ制御部
４・・・プリンタ部
５・・・メイン制御部
５ａ・・メモリ
６・・・読取機構制御部
７・・・表示操作制御部
８・・・ＦＡＸ通信制御部
９・・・ＬＡＮ通信制御部
１０・・インターネット通信制御部
１１・・ＩＣカード装置制御部
１２・・記憶装置制御部
１３・・記憶装置部（ＨＤＤ）
１５・・表示操作部
１７・・ＰＰＲ制御部
１８・・印刷機構部
１９・・給紙装置
２０・・印刷結果
２２・・画像形成部
２３・・転写ベルトユニット
２４・・トナー供給部
２５・・ベルト式定着ユニット
２８・・転写ベルト
２８ａ・・走行部表面
２９、２９ｙ、２９ｍ、２９ｃ、２９ｋ・・画像形成ユニット
３０・・感光体ドラム
３１・・クリーナ
３２・・帯電ローラ
３３・・光書込ヘッド
３４・・現像器
３５・・現像ローラ
３６・・第１の攪拌搬送部材
３７・・第２の攪拌搬送部材
３８・・駆動ローラ
３９・・従動ローラ
４３・・二次転写部
４４・・ベルトクリーナ
４５・・クリーニングブレード
４６・・廃トナー回収容器
４７（４７ｙ、４７ｍ、４７ｃ、４７ｋ）・・トナーホッパー
４９・・給紙カセット
５１・・用紙取出ローラ
５２・・給送ローラ
５３・・捌きローラ３３
５４・・待機搬送ローラ対
５５・・二次転写ローラ
５６・・拡散反射型濃度センサ
５７・・排紙トレー
５８・・操作パネル部
６０・・ヘッダ部
６１・・データ部
６２・・受信バッファ
６３・・画像描画処理
６４・・印刷待ち行列
６５・・スクロールバー
【図１】
2013173285.tif 000003
【図２】
2013173285.tif 000004
【図３】
2013173285.tif 000005
【図４】
2013173285.tif 000006
【図５】
2013173285.tif 000007
【図６】
2013173285.tif 000008
【図７】
2013173285.tif 000009
【図８】
2013173285.tif 000010
【図１０】
2013173285.tif 000011
【図１１】
2013173285.tif 000012
【図１２】
2013173285.tif 000013
【図９】
2013173285.tif 000014